(57)【要約】【課題】  ユーザによる機器の操作性が向上する操作システムを提供する。【解決手段】  テレビの画面に各チャンネルのテレビ画像表示部が３次元的に配列され表示される。そして、ユーザがリモコンを傾けたり移動させたりすると、リモコンが有するジャイロセンサと加速度センサによる検出信号に基づきポインタ１１が画面上に３次元的に移動表示され、ポインタにより選択されたテレビ画像表示部のチャンネルのテレビ画像が全画面表示される。【選択図】      図７
2007142513.tif 000002
【特許請求の範囲】
【請求項１】
ジャイロセンサおよび/または加速度センサと、前記ジャイロセンサおよび/または前記加速度センサの検出信号に基づく信号を送信する送信手段と、を備えるリモコンと、
前記送信手段が送信した信号を受信する受信手段と、
操作用画像を三次元的に配列して表示手段が有する画面に表示させるための画像信号を生成する第一の画像信号生成手段と、
前記操作用画像を選択するための画像を前記表示手段が有する画面に三次元的に移動表示させるための画像信号を、前記受信手段が受信した信号に基づき生成する第二の画像信号生成手段と、を備えるテレビジョン受像機と、
を有することを特徴とするテレビジョン受像機操作システム。
【請求項２】
当該装置の回転を検出する回転検出手段および/または当該装置の移動を検出する移動検出手段と、前記回転検出手段および/または前記移動検出手段の検出信号に基づく信号を送信する送信手段と、を備える送信装置と、
前記送信手段が送信した信号を受信する受信手段と、
操作用画像を三次元的に配列して表示手段が有する画面に表示させるための画像信号を生成する第一の画像信号生成手段と、
前記操作用画像を選択するための画像を前記表示手段が有する画面に三次元的に移動表示させるための画像信号を、前記受信手段が受信した信号に基づき生成する第二の画像信号生成手段と、を備える受信装置と、
を有することを特徴とする操作システム。
【請求項３】
前記回転検出手段はジャイロセンサであることを特徴とする請求項２に記載の操作システム。
【請求項４】
前記移動検出手段は加速度センサであることを特徴とする請求項２に記載の操作システム。
【発明の詳細な説明】
【技術分野】
【０００１】
本発明は、機器の操作方法に関し、特に画面上に操作用の画像を表示させるものに関する。
【背景技術】
【０００２】
従来から、テレビジョン受像機やディスク装置等の機器の操作方法について様々なものが開発されている。
【０００３】
例えば、特許文献１には、リモコンをユーザが振るだけでテレビジョン受像機に表示されたチャンネルメニューからチャンネルを選択できるものが開示されている。これにより、テレビジョン受像機の操作をし易いものとできる。
【０００４】
しかし、上記特許文献１では、チャンネルメニューにおける選択肢となる各チャンネルの画像表示部は２次元的に配列されたものであるから（特許文献１の図１０参照）、選択肢が少なく、多数のチャンネルの中から選択する場合は別途リモコンのボタン等で画面を切り換える必要があり、操作が増えユーザにとって面倒となる。
【特許文献１】特開２００３−３３３３６１号公報
【発明の開示】
【発明が解決しようとする課題】
【０００５】
本発明は上記問題点を鑑み、ユーザによる機器の操作性が向上する操作システムを提供することを目的とする。
【課題を解決するための手段】
【０００６】
上記目的を達成するために本発明の操作システムは、当該装置の回転を検出する回転検出手段および/または当該装置の移動を検出する移動検出手段と、前記回転検出手段および/または前記移動検出手段の検出信号に基づく信号を送信する送信手段と、を備える送信装置と、
前記送信手段が送信した信号を受信する受信手段と、
操作用画像を三次元的に配列して表示手段が有する画面に表示させるための画像信号を生成する第一の画像信号生成手段と、
前記操作用画像を選択するための画像を前記表示手段が有する画面に三次元的に移動表示させるための画像信号を、前記受信手段が受信した信号に基づき生成する第二の画像信号生成手段と、を備える受信装置と、
を有することを特徴とする。
【０００７】
このような構成によれば、画面上三次元的に配列されて選択肢が増加された操作用画像を、送信装置を傾けたり移動させたりするだけで選択できるので、ユーザによる受信装置の操作性が向上する。
【０００８】
前記回転検出手段には例えばジャイロセンサを、前記移動検出手段には例えば加速度センサを適用すればよい。
【０００９】
また、本発明の操作システムは、例えばテレビジョン受像機に適用でき、テレビジョン受像機の操作性が向上する。
【発明の効果】
【００１０】
本発明の操作システムにより、ユーザによる機器の操作性が向上する。
【発明を実施するための最良の形態】
【００１１】
以下、本発明の実施形態の一例として、テレビジョン受像機（以下、テレビ）の操作システムについて図面を参照しつつ説明する。
【００１２】
図１は、本発明に係るリモコンのブロック図を示す。本発明に係るリモコンは、操作部１、ジャイロセンサ２、加速度センサ３、制御部４、送信部５を備える。操作部１は各種スイッチを有し、操作信号を制御部４に送信する。ジャイロセンサ２は、リモコン本体のピッチ方向およびロール方向の回転方向および回転速度を検出するセンサである。加速度センサ３は、リモコン本体の上下移動方向および上下移動加速度を検出するセンサである。制御部４は、操作部１、ジャイロセンサ２、加速度センサ３からの信号に基づき各種信号を送信部５に送信する。送信部５は、制御部４からの信号を変調し、赤外線信号として後述するテレビに送信する。
【００１３】
図２は、本発明に係るテレビのブロック図を示す。本発明に係るテレビは、受信部６、制御部７、ＴＶ受信部８、アンテナ９、表示部１０を備える。受信部６は、リモコンの送信部５からの赤外線信号を復調し、制御部７に送信する。ＴＶ受信部８は、アンテナ９からの放送受信信号を復調し、テレビ画像信号を制御部７に送信する。制御部７は、受信部６やＴＶ受信部８からの信号に基づき画像信号を生成し、表示部１０に送信する。表示部１０は、制御部７からの画像信号に基づき画面に画像を表示する。
【００１４】
次に、このような構成の本発明に係るリモコンおよびテレビの動作について、図３、図４のフローチャートに沿って説明する。図３はリモコン、図４はテレビの動作手順を示す。
【００１５】
まず、ユーザがリモコンの操作部１が有するチャンネルメニュー表示用のボタンを押圧すると、制御部４がこれを検出し（ステップＳ１０１のＹ）、対応するコマンドコード信号を送信部５に送信する。送信部５は、ステップＳ１０２で、このコマンドコード信号を変調し、赤外線信号としてテレビの受信部６に送信する。なお、赤外線以外の電波でもよく、送信部５は受信部６に有線で信号を伝達してもよい。
【００１６】
受信部６は、コマンドコード信号が変調された赤外線信号を受信すると（ステップＳ２０１のＹ）、これを復調し制御部７に送信する。そして、制御部７は、ＴＶ受信部８からのテレビ画像信号に基づき、図５のようにチャンネル１〜チャンネル９のテレビ画像（各チャンネル番号含む）の集まりを第１の表示部１３、チャンネル１０〜チャンネル１８のテレビ画像（各チャンネル番号含む）の集まりを第２の表示部１４、チャンネル１９〜チャンネル２７のテレビ画像（各チャンネル番号含む）の集まりを第３の表示部１５とすると、第１の表示部１３、第２の表示部１４、第３の表示部１５の順で手前から奥側へ３次元的に配列されて表示部１０の画面に表示されるような画像信号を生成する。各チャンネルのテレビ画像表示部は、各チャンネルのテレビ画像を表示部１０の全画面に表示させる操作のための操作用画像である。
【００１７】
また、このとき制御部７は、表示部１０の画面のうちチャンネル１のテレビ画像表示部の左下隅に矢印形状のポインタ１１を表示させるよう画像信号を生成する。ポインタ１１は、操作用画像である各チャンネルのテレビ画像表示部を選択するための画像である。また、制御部７は、表示部１０の画面のうちチャンネル１のテレビ画像表示部の周囲に太枠１２を表示させるよう画像信号を生成する。太枠１２は、ポインタ１１により各チャンネルのテレビ画像表示部が選択されていることを強調表示するための画像である。そして制御部７は、以上の画像信号を合成して表示部１０に送信する。
【００１８】
そして、表示部１０の画面には、図５のようなチャンネルメニューが表示される（ステップＳ２０２）。
【００１９】
次に、リモコンにおいて上記ステップＳ１０２のコマンド送信後、ジャイロセンサ２がリモコンのピッチ方向およびロール方向の回転方向および回転速度を、加速度センサ３がリモコンの上下の移動方向および移動加速度を検出し、制御部４に各検出信号を送信する（ステップＳ１０３）。すると、制御部４は、ジャイロセンサ２から受信した検出信号を時間積分し、回転量を算出し、回転方向および回転量を表す回転量信号を送信部５に送信する。また、制御部４は、加速度センサ３から受信した検出信号を時間積分し、移動量を算出し、移動方向および移動量を表す移動量信号を送信部５に送信する。送信部５は、これら回転量信号および移動量信号を変調し、赤外線信号としてテレビの受信部６に送信する（ステップＳ１０４）。
【００２０】
受信部６が回転量信号および移動量信号が変調された赤外線信号を受信すると（ステップＳ２０３）、これらを復調し、制御部７に送信する。
【００２１】
ここで、図６のように第１の表示部１３、第２の表示部１４、第３の表示部１５が配列された仮想３次元空間を考え、チャンネル１のテレビ画像表示部の左下隅を原点とし、奥行方向をｘ軸方向、左右方向をｙ軸方向、上下方向をｚ軸方向とする。
【００２２】
ステップＳ２０４で、制御部７は、受信部６から受信したピッチ方向回転量信号に基づき上記ｘ軸位置情報を生成する。ピッチ方向にリモコン前方を下方に傾ける回転量が大きいほど、ｘ軸位置情報が奥行方向に大きくなるよう生成される。また、制御部７は、受信部６から受信したロール方向回転量信号に基づき上記ｙ軸位置情報を生成する。ロール方向にリモコンを右回りに傾ける回転量が大きいほど、ｙ軸位置情報が右方向に大きくなるよう生成される。また、制御部７は、受信部６から受信した移動量信号に基づき上記ｚ軸位置情報を生成する。リモコンの上方向への移動量が大きいほど、ｚ軸位置情報が上方向に大きくなるよう生成される。
【００２３】
次に、ステップＳ２０５で、制御部７は、上記で生成された３次元位置情報（ｘ軸、ｙ軸、ｚ軸位置情報）を表示部１０の画面上の２次元位置情報（ｘ軸、ｙ軸位置情報）に変換する。
【００２４】
そして、ステップＳ２０６で、制御部７は、上記で生成された３次元位置情報が、図６のような３次元空間におけるチャンネル１〜２７のいずれかのテレビ画像表示部が存在する位置と一致するかを判定する。
【００２５】
もし、一致する場合は（ステップＳ２０６のＹ）、制御部７は、表示部１０の画面に第１の表示部１３、第２の表示部１４、第３の表示部１５を表示させるよう、かつ、表示部１０の画面のうち上記で生成された２次元位置情報の位置にポインタ１１を表示させるよう、かつ、表示部１０の画面において、上記３次元位置情報の位置に存在するテレビ画像表示部のチャンネルに対応するテレビ画像表示部の周囲に太枠１２を表示させるよう画像信号を生成して、表示部１０に送信する。そして、表示部１０の画面に、画像信号に対応した画像が表示される（ステップＳ２０７）。
【００２６】
また、もし一致しない場合は（ステップＳ２０６のＮ）、制御部７は、表示部１０の画面に第１の表示部１３、第２の表示部１４、第３の表示部１５を表示させるよう、かつ、表示部１０の画面のうち上記で生成された２次元位置情報の位置にポインタ１１を表示させるよう、かつ、表示部１０の画面において太枠１２を表示させないよう画像信号を生成して、表示部１０に送信する。そして、表示部１０の画面に、画像信号に対応した画像が表示される（ステップＳ２０８）。
【００２７】
ここで、リモコンにおいて、ステップＳ１０５で、制御部４は操作部１が有する決定ボタンが押圧されたかを判定し、もし押圧されていなければ（ステップＳ１０５のＮ）、ステップＳ１０３の手前に戻り、以降決定ボタンが押圧されるまで回転量信号や移動量信号がテレビに送信される。もし、決定ボタンが押圧されれば（ステップＳ１０５のＹ）、制御部４は、対応するコマンドコード信号を送信部５に送信し、送信部５はコマンドコード信号を変調し、赤外線信号としてテレビの受信部６に送信する（ステップＳ１０６）。
【００２８】
そして、テレビにおいて、ステップＳ２０９で、制御部７は、リモコンにおいて決定ボタンが押圧されたことを示すコマンドコード信号を受信部６を介して受信したかを判定し、もし受信していなければ（ステップＳ２０９のＮ）、ステップＳ２０３の手前に戻り、以降コマンドコード信号を受信するまで、リモコンから受信する回転量信号と移動量信号に基づきチャンネルメニューが表示部１０の画面において更新表示される。
【００２９】
もし、コマンドコード信号を受信したと判定されれば（ステップＳ２０９のＹ）、ステップＳ２１０で、制御部４は、上記ステップＳ２０６の判定でステップＳ２０７へ進んだかどうかを判定する。もしステップＳ２０７へ進んでいれば（ステップＳ２１０のＹ）、以降、制御部４は、上記３次元位置情報の位置に存在するテレビ画像表示部のチャンネルに対応するテレビ画像を表示部１０の画面全体に表示させるよう画像信号を生成し、表示部１０に送信する。そして、表示部１０の画面全体にテレビ画像が表示される（ステップＳ２１１）。
【００３０】
もし、ステップＳ２０７に進んでいなければ（ステップＳ２１０のＮ）、ステップＳ２１２で制御部７は、エラー表示のための画像信号を生成し、表示部１０に送信し、表示部１０の画面にエラー表示される。
【００３１】
以上のような動作により、ユーザは例えば次のような操作をすることができる。図７に、操作時の表示部１０の画面を示す。図中矢印点線は、ポインタ１１の軌跡を示す。
【００３２】
ユーザがリモコンのチャンネルメニュー表示用ボタンを押圧し、図５のようなチャンネルメニューが表示部１０の画面に表示されているときに、ユーザがピッチ方向にリモコン前方を下方に傾けると、ポインタ１１がチャンネル１のテレビ画像表示部から離れ太枠１２が表示されなくなる。そして、ポインタ１１は第２の表示部１４上のチャンネル１０のテレビ画像表示部に向かって移動し、チャンネル１０のテレビ画像表示部に到達すると、チャンネル１０のテレビ画像表示部の周囲に太枠１２が表示される。ここで、ユーザがリモコンをロール方向に右回りに傾けると、ポインタ１１がチャンネル１０からチャンネル１１のテレビ画像表示部に向かって移動し、チャンネル１１のテレビ画像表示部に到達すると、チャンネル１１のテレビ画像表示部の周囲に太枠１２が表示される。ここでさらにユーザがリモコンを下方向に移動させると、ポインタ１１がチャンネル１１からチャンネル１４のテレビ画像表示部に向かって移動し、チャンネル１４のテレビ画像表示部に到達すると、チャンネル１４のテレビ画像表示部の周囲に太枠１２が表示される。ここで、ユーザがリモコンの決定ボタンを押圧すれば、チャンネル１４のテレビ画像が画面全体に表示される。
【００３３】
このように本発明によれば、画面上に三次元的に配列された多数のチャンネルのテレビ画像表示部の中から望むチャンネルのものを、リモコンを傾けたり移動させたりするだけでポインタにより選択できるので、ユーザによるテレビの操作性が向上する。
【００３４】
なお、リモコンの回転方向としてピッチ、ロール、ヨーの回転をジャイロセンサで検出し、各方向の回転量信号に基づき上記３次元位置情報を生成し、ポインタを表示させるようにしてもよい。また、リモコンの移動方向として上下、左右、前後の移動を加速度センサで検出し、各方向の移動量信号に基づき上記３次元位置情報を生成し、ポインタを表示させるようにしてもよい。
【００３５】
また、以上ではテレビの操作システムについて説明したが、本発明はこれに限らず例えばＤＶＤプレーヤやハードディスクレコーダ等にも適用でき、これらの操作性が向上する。このとき、操作用画像としては、再生、記録、停止の操作、音量操作、音質操作等をするための画像を、装置外部につながれたテレビ等の画面上に３次元的に配列して表示させるようにすればよい。
【図面の簡単な説明】
【００３６】
【図１】は、本発明に係るリモコンのブロック図である。
【図２】は、本発明に係るテレビのブロック図である。
【図３】は、本発明に係るリモコンの動作手順を示すフローチャートである。
【図４】は、本発明に係るテレビの動作手順を示すフローチャートである。
【図５】は、チャンネルメニューの初期状態を示す図である。
【図６】は、テレビ画像表示部が配列された仮想３次元空間を示す図である。
【図７】は、本発明における操作時の画面例を示す図である。
【符号の説明】
【００３７】
１    操作部
２    ジャイロセンサ
３    加速度センサ
４    制御部
５    送信部
６    受信部
７    制御部
８    ＴＶ受信部
９    アンテナ
１０    表示部
１１    ポインタ
１２    太枠
１３    第１の表示部
１４    第２の表示部
１５    第３の表示部
【図１】
2007142513.tif 000003
【図２】
2007142513.tif 000004
【図３】
2007142513.tif 000005
【図４】
2007142513.tif 000006
【図５】
2007142513.tif 000007
【図６】
2007142513.tif 000008
【図７】
2007142513.tif 000009